(57)【特許請求の範囲】
【請求項１】
スケール防止剤であるポリカルボン酸系有機物を添加した放射性廃液が逆浸透膜を有する逆浸透膜装置に供給され、前記放射性廃液に含まれる水が前記逆浸透膜を透過する透過水として前記放射性廃液から分離され、前記逆浸透膜装置で濃縮された残りの前記放射性廃液から前記ポリカルボン酸系有機物を除去し、その後、前記ポリカルボン酸系有機物が除去された前記放射性廃液に含まれている放射性金属元素を除去することを特徴とする放射性廃液の処理方法。
【請求項２】
前記放射性廃液に含まれている前記放射性金属元素の除去は、吸着材によって行われる請求項１に記載の放射性廃液の処理方法。
【請求項３】
前記ポリカルボン酸系有機物の除去は、前記濃縮された放射性廃液を活性炭層に供給することにより行われる請求項１または２に記載の放射性廃液の処理方法。
【請求項４】
前記ポリカルボン酸系有機物の除去は、前記濃縮された放射性廃液に含まれる前記ポリカルボン酸系有機物を分解することによって行われる請求項１または２に記載の放射性廃液の処理方法。
【請求項５】
前記ポリカルボン酸系有機物の分解は、前記濃縮された放射性廃液に酸化剤を添加し、前記酸化剤を含む前記濃縮された放射性廃液を触媒層に供給することによって行われる請求項４に記載の放射性廃液の処理方法。
【請求項６】
前記ポリカルボン酸系有機物の分解は、前記濃縮された放射性廃液に酸化剤を添加し、前記酸化剤を含む前記濃縮された放射性廃液に紫外線を照射することによって行われる請求項４に記載の放射性廃液の処理方法。
【請求項７】
前記ポリカルボン酸系有機物の除去は、前記濃縮された放射性廃液を沈降分離槽内に供給し、前記沈降分離槽内で前記濃縮された放射性廃液に含まれる前記ポリカルボン酸系有機物を凝集沈殿させることによって行われる請求項１または２に記載の放射性廃液の処理方法。
【請求項８】
前記透過水を原子炉の冷却に使用する請求項１ないし７のいずれか１項に記載の放射性廃液の処理方法。
【請求項９】
スケール防止剤であるポリカルボン酸系有機物を供給するスケール防止剤供給装置と、前記スケール防止剤供給装置から前記ポリカルボン酸系有機物を添加された放射性廃液が供給される逆浸透膜装置と、前記逆浸透膜装置に接続され、前記逆浸透膜装置で濃縮されて前記逆浸透膜装置から排出された前記放射性廃液が供給されるスケール防止剤除去装置と、前記スケール防止剤除去装置に接続され、前記スケール防止剤除去装置から排出された前記放射性廃液に含まれる放射性金属元素を除去する放射性金属元素吸着装置とを備えたことを特徴とする放射性廃液処理装置。
【請求項１０】
前記スケール防止剤除去装置が活性炭層を有している請求項９に記載の放射性廃液処理装置。
【請求項１１】
前記スケール防止剤除去装置が触媒層を有しており、酸化剤供給装置が前記スケール防止剤除去装置に連絡されている請求項９に記載の放射性廃液処理装置。
【請求項１２】
前記スケール防止剤除去装置が、前記濃縮された放射性廃液が供給される沈降分離槽、および前記沈降分離槽に連絡される凝集剤供給装置を有している請求項９に記載の放射性廃液処理装置。
【発明の詳細な説明】
【技術分野】
【０００１】
本発明は、放射性廃液の処理方法および放射性廃液処理装置に係り、特に、沸騰水型原子力プラントに適用するのに好適な放射性廃液の処理方法および放射性廃液処理装置に関する。
【背景技術】
【０００２】
原子力施設（例えば、原子力発電プラント）において発生する放射性物質を含む廃液の処理方法の一つとして、逆浸透膜（Reverse Osmosis）を用いた処理方法がある。逆浸透膜により放射性廃液を処理した結果、逆浸透膜を透過した処理液（透過水）に含まれる放射性物質の濃度は減少し、逆浸透膜を透過する処理液の生成により放射性廃液は濃縮される。濃縮された放射性廃液は、濃縮水として放射性物質、特に、放射性金属元素を含んでいる。放射性廃液を、逆浸透膜を用いて処理することは、特開昭５９−２０４７９６号公報および特開昭６３−５３４９９号公報に記載されている。
【０００３】
放射性物質を含まない一般の被処理水を、逆浸透膜を有する逆浸透膜装置で処理することが、特開２００７−２０９９１９号公報、特開平１１−２４４８４６号公報および特開２００７−２５３０７３号公報にそれぞれ提案されている。
【０００４】
特開２００７−２０９９１９号公報では、塩を含む被処理水を逆浸透膜装置に供給して生成された濃縮水を活性炭に接触させ、濃縮水に含まれる有機体炭素を活性炭により除去している。特開平１１−２４４８４６号公報では、溶解またはエマルジョンの状態にある除去対象物質の濃度が低い希薄被処理液を逆浸透膜装置に供給し、逆浸透膜装置で生じた濃縮液を活性炭吸着装置またはイオン交換樹脂を充填した吸着装置に供給している。逆浸透膜装置で生じた濃縮液に含まれる除去対象物質（例えば、染料および硝酸イオン等）を活性炭吸着装置またはイオン交換樹脂を充填した吸着装置で除去している。
【０００５】
また、特開２００７−２５３０７３号公報では、逆浸透膜表面への有機物およびカルシウムの付着により逆浸透膜による被処理液の処理効率の低下を防ぐために、逆浸透膜装置に供給する前の被処理液にスケール防止剤を添加し、さらにアルカリを添加して逆浸透膜表面への有機物およびカルシウムの付着を防止している。あらかじめ添加するスケール防止剤として生分解性の物質を選択することで、逆浸透膜装置から排出される濃縮液に含まれるスケール防止剤を生分解し低減している。これにより、逆浸透膜装置から排出される濃縮液に含まれるスケール防止剤によるＲＯ濃縮液の排水処理への悪影響を抑制している。
【先行技術文献】
【特許文献】
【０００６】
【特許文献１】特開昭５９−２０４７９６号公報
【特許文献２】特開昭６３−５３４９９号公報
【特許文献３】特開２００７−２０９９１９号公報
【特許文献４】特開平１１−２４４８４６号公報
【特許文献５】特開２００７−２５３０７３号公報
【発明の概要】
【発明が解決しようとする課題】
【０００７】
放射性金属元素を含む放射性廃液を逆浸透膜により処理する際、処理対象の放射性廃液に含まれる多価金属元素、特にカルシウムなどの陽イオン形態の金属元素のスケール化およびこれに伴う逆浸透膜での放射性廃液の処理効率の低下を防止するため、逆浸透膜に供給する放射性廃液にスケール防止剤を添加する操作が行われる。すなわち、放射性廃液へのスケール防止剤の添加により、金属元素とスケール防止剤が錯化合物を形成することにより、放射性廃液が接触する逆浸透膜表面に金属元素のスケールが付着することを防ぐことができる。
【０００８】
一方、放射性廃液を逆浸透膜により処理することによって生成される濃縮された放射性廃液（濃縮水）に含まれる放射性金属元素をイオン交換樹脂等の吸着剤を用いて除去するシステムでは、放射性金属元素がスケール防止剤と錯化合物を形成したことにより、吸着剤への放射性金属元素の吸着効率が低下することが懸念される。
【０００９】
特開２００７‐２５３０７３号公報に記載された方法のように、生分解性のスケール防止剤を使用し、逆浸透膜による処理の後にスケール防止剤を生分解することで、放射性金属元素の吸着効率低下を防ぐことができる。しかし、生分解性のスケール防止剤、例えばポリアスパラギン酸、ポリグルタミン酸、ポリアラニン等は、放射線によっても分解されるため、放射性廃液を逆浸透膜で処理する過程でスケール防止剤が放射性廃液に含まれる放射性金属元素が放出する放射線によって分解され、金属元素のスケール生成防止効果が低下することが懸念される。
【００１０】
本発明の目的は、金属イオンのスケール化およびこれに伴う逆浸透膜での処理効率低下を防止し、かつ逆浸透膜による処理で生成された、濃縮された放射性廃液に含まれる放射性金属元素を効率よく吸着除去できる放射性廃液の処理方法および放射性廃液処理装置を提供する。
【課題を解決するための手段】
【００１１】
上記した目的を達成する本発明の特徴は、スケール防止剤であるポリカルボン酸系有機物を添加した、放射性廃液が逆浸透膜を有する逆浸透膜装置に供給され、放射性廃液に含まれる水が逆浸透膜を透過する透過水として放射性廃液から分離され、逆浸透膜装置で濃縮された残りの放射性廃液からポリカルボン酸系有機物を除去し、その後、ポリカルボン酸系有機物が除去された放射性廃液に含まれている放射性金属元素を除去することにある。
【００１２】
逆浸透膜装置に供給される放射性廃液には放射線分解に対するポリカルボン酸系有機物を含むスケール防止剤を添加するので、逆浸透膜装置の逆浸透膜の表面へのスケールの付着を防止することができ、逆浸透膜による放射性廃液の処理効率の低下を防ぐことができる。ポリカルボン酸系有機物を含むスケール防止剤としては、例えば、ポリアクリル酸、およびポリマレイン酸等のポリカルボン酸系化合物を含むスケール防止剤、または、ポリカルボン酸系化合物に重合リン酸化合物を添加したスケール防止剤を用いることが好ましい。
【００１３】
逆浸透膜装置から排出される濃縮された放射性廃液に含まれる放射線分解に対するポリカルボン酸系有機物を除去し、その後で、この放射性廃液に含まれる放射性金属元素を除去するため、濃縮された放射性廃液に含まれる放射性金属元素を効率良く除去することができる。
【発明の効果】
【００１４】
本発明によれば、金属イオンのスケール化およびこれに伴う逆浸透膜での処理効率低下を防止し、かつ逆浸透膜による処理で生成された、濃縮された放射性廃液に含まれる放射性金属元素を効率よく吸着除去することができる。
【図面の簡単な説明】
【００１５】
【図１】本発明の好適な一実施例である実施例１の放射性廃液の処理方法に用いられる放射性廃液処理装置の構成図である。
【図２】スケール防止剤を添加してスケール防止剤を除去しない模擬廃液に含まれるＣｏ−６０、およびスケール防止剤を添加してスケール防止剤を除去した模擬廃液に含まれるＣｏ−６０の、キレート樹脂による除去性能を示す説明図である。
【図３】本発明の他の実施例である実施例２の放射性廃液の処理方法に用いられる放射性廃液処理装置の構成図である。
【図４】本発明の他の実施例である実施例３の放射性廃液の処理方法に用いられる放射性廃液処理装置の構成図である。
【発明を実施するための形態】
【００１６】
発明者らは、スケール防止剤を添加してこのスケール防止剤を除去しない模擬廃液Ａ、およびスケール防止剤を添加してその後、このスケール防止剤を除去した模擬廃液Ｂを用いて、吸着剤への模擬廃液に含まれた放射性金属元素の吸着挙動を試験により調査した。ここでは、模擬廃液Ａからスケール防止剤を除去する方法として、活性炭を充填したカラムに模擬廃液Ａを通水する方法を採用した。模擬廃液Ａは、人工海水を１／２に希釈して得られた水溶液に放射線分解に対する耐性があるポリアクリル酸を含むスケール防止剤を１００ｐｐｍとなるよう添加して生成された。模擬廃液Ｂは、模擬廃液Ａを活性炭カラムに通水してスケール防止剤を除去することにより生成した。模擬廃液Ａおよび模擬廃液Ｂは、放射性元素としてＣｏ−６０を添加してＣｏ−６０の吸着除去の試験に用いた。なお、放射線分解に対する耐性があるスケール防止剤としては、例えば、ポリカルボン酸系有機物を含むスケール防止剤があり、ポリカルボン酸系有機物を含むスケール防止剤としては、例えば、ポリアクリル酸、およびポリマレイン酸等のポリカルボン酸系化合物を含むスケール防止剤、または、ポリカルボン酸系化合物に重合リン酸化合物を添加したスケール防止剤がある。
【００１７】
この試験は、Ｃｏ−６０を添加した模擬廃液Ａおよび模擬廃液Ｂに、キレート樹脂を１ｖｏｌ％添加して、所定時間、保持した後、模擬廃液Ａおよび模擬廃液Ｂのそれぞれからキレート樹脂を除去することにより行った。キレート樹脂を添加する前とキレート樹脂を除去した後の模擬廃液ＡおよびＢのそれぞれに含まれるＣｏ−６０濃度を測定し、キレート樹脂へのＣｏ−６０の吸着性能を評価した。図２にその試験結果を示す。この試験結果に基づいて、スケール防止剤を除去する処理を行った模擬廃液Ｂでは、この処理を行っていない模擬廃液Ａと比較して、約２倍の放射性元素の除去性能が得られることが分かった。
【００１８】
上記の検討結果を反映した、本発明の実施例を以下に説明する。
【実施例１】
【００１９】
本発明の好適な一実施例である実施例１の放射性廃液の処理方法を、図１を用いて説明する。本実施例の放射性廃液の処理方法は、沸騰水型原子力プラントに適用される。
【００２０】
本実施例の放射性廃液の処理方法に用いられる放射性廃液処理装置１は、逆浸透膜装置２、スケール防止剤除去装置３、放射性金属元素吸着装置４およびスケール防止剤供給配管６を有する。廃液供給管５が内部に逆浸透膜を有する逆浸透膜装置２に接続される。スケール防止剤供給装置がスケール防止剤供給管６およびスケール防止剤充填槽（図示せず）を有する。スケール防止剤を供給するスケール防止剤供給管６がスケール防止剤充填槽および廃液供給管５に接続される。本実施例では、ポリカルボン酸系有機物を含むスケール防止剤、例えば、フロコン（登録商標）が使用され、フロコンがスケール防止剤充填槽に充填されている。スケール防止剤除去装置３は、スケール防止剤を吸着する吸着材（例えば、活性炭、砂または無機鉱物（例えば、粘土鉱物など）を充填した吸着塔であり、濃縮水移送管９により逆浸透膜装置２に接続される。本実施例では、スケール防止剤除去装置３は活性炭を充填した活性炭層を内部に有している。スケール防止剤除去装置３は、濃縮水移送管９により放射性金属元素吸着装置４に接続される。放射性金属元素吸着装置４は、放射性金属元素を吸着する吸着材であるキレート樹脂を充填している。キレート樹脂の替りにイオン交換樹脂またはイオン交換化合物を充填してもよい。透過水排出管７が逆浸透膜装置２に接続され、冷却水供給管８が透過水排出管７に接続される。
【００２１】
沸騰水型原子力プラントは、原子炉建屋１０および放射性廃棄物建屋１３を有する。原子炉１２を取り囲んでいる原子炉格納容器１１が原子炉建屋１０内に設置される。複数の放射性廃液貯槽（図示せず）が放射性廃棄物建屋１３内に設置されている。本実施例では、逆浸透膜装置２に接続された廃液供給管５が、放射性廃棄物建屋１３内に設置された放射性廃液貯槽に接続されている。冷却水供給管８が原子炉格納容器１１に接続される。
【００２２】
沸騰水型原子力プラントで発生する放射性廃液は、放射性廃棄物建屋１３内に設置された放射性廃液貯槽内に蓄えられる。ポンプ１９を駆動することによってその放射性廃液貯槽内に蓄えられた、金属塩、例えば、カルシウム塩を含む放射性廃液が廃液供給管５を通って逆浸透膜装置２に供給される。スケール防止剤充填槽内のフロコンが、スケール防止剤供給管６に設けられたバルブ（図示せず）を開くことによりスケール防止剤供給管６を通って廃液供給管５内に導かれ、廃液供給管５内を流れている放射性廃液に添加される。放射性廃液に含まれるフロコンが１０〜２０ｐｐｍとなるように、廃液供給管５へのフロコンの供給量がスケール防止剤供給管６に設けられたバルブの開度を制御することによって調節される。フロコンを含む放射性廃液が逆浸透膜装置２に供給される。
【００２３】
上記の放射性廃液は逆浸透膜装置２内の逆浸透膜によって処理され、放射性廃液に含まれる水が、透過水として放射性廃液から分離されて逆浸透膜装置２から透過水排出管７に排出される。透過水の排出により逆浸透膜装置２内で濃縮された放射性廃液、すなわち、放射性金属元素を含む濃縮水が、逆浸透膜装置２から濃縮水移送管９に排出される。逆浸透膜装置２に供給される放射性廃液に含まれていたほとんどの放射性金属元素は、濃縮水に含まれて濃縮水移送管９に排出される。スケール防止剤供給管６により放射性廃液に添加されたフロコンも、ほとんど、濃縮水に含まれる。
【００２４】
濃縮水移送管９に排出された濃縮水はスケール防止剤除去装置３に供給される。濃縮水に含まれるフロコンは、スケール防止剤除去装置３内で活性炭に吸着されて濃縮水から除去される。スケール防止剤であるフロコンがスケール防止剤除去装置３で除去された濃縮水が、濃縮水移送管９を通って放射性金属元素吸着装置４に供給される。放射性金属元素吸着装置４内のキレート樹脂が濃縮水に含まれている放射性金属元素を吸着する。このため、濃縮水から放射性金属元素が除去される。放射性金属元素吸着装置４において放射性金属元素が除去された濃縮水は、放射性金属元素吸着装置４から処理水として排出される。この処理水は、貯蔵タンク（図示せず）内に供給されて保管される。
【００２５】
透過水排出管７に排出された、放射性金属元素をほとんど含まない透過水の一部は、冷却水として、冷却水供給管８を通して原子炉格納容器１１内に供給され、原子炉１２の冷却に使用される。
【００２６】
本実施例では、逆浸透膜装置２に供給する放射性廃液に、スケール防止剤供給管６によって、スケール防止剤であるフロコンを添加するので、放射性廃液に含まれているカルシウム塩および陽イオン形態の放射性金属元素が、スケールとして、逆浸透膜装置２内の逆浸透膜の表面に付着することを防止することができ、逆浸透膜による放射性廃液の処理効率の低下を防止することができる。このため、放射性廃液に含まれる水を効率良く逆浸透膜を透過させることができ、透過水の生成効率の低下を防ぐことができる。また、逆浸透膜装置２で生成される透過水は、原子炉格納容器１１内に供給して原子炉１２の冷却に使用することができる。
【００２７】
本実施例によれば、逆浸透膜装置２から排出される濃縮水に含まれている放射線分解に対する耐性があるスケール防止剤（例えば、フロコン）をスケール防止剤除去装置３で除去するので、スケール防止剤が実質的に含まれていない濃縮水を放射性金属元素吸着装置４に供給することができる。このため、放射性金属元素吸着装置４における、濃縮水に含まれる放射性金属元素の除去効率を高めることができる。放射性金属元素吸着装置４から排出される濃縮水に含まれる放射性金属元素の量が著しく低減される。また、放射性金属元素を吸着するために放射性金属元素吸着装置４に充填される吸着材の量を低減することができ、結果的に、放射性金属元素吸着装置４から取り出されて放射性固体廃棄物となる使用済吸着材の発生量も低減される。
【００２８】
本実施例は、放射性金属元素を含んで非放射性金属塩（例えば、カルシウム塩）を含まない放射性廃液を処理する場合にも適用することができる。
【実施例２】
【００２９】
本発明の他の実施例である実施例２の放射性廃液の処理方法を、図３を用いて説明する。本実施例の放射性廃液の処理方法は、沸騰水型原子力プラントに適用される。
【００３０】
本実施例の放射性廃液の処理方法に用いられる放射性廃液処理装置１Ａは、実施例１で用いる放射性廃液処理装置１においてスケール防止剤除去装置３をスケール防止剤除去装置３Ａに替え、酸化剤供給装置１４を追加した構成を有する。放射性廃液処理装置１Ａの他の構成は放射性廃液処理装置１と同じである。
【００３１】
スケール防止剤除去装置３Ａは吸着材の替りに触媒を充填した触媒層を有する。スケール防止剤除去装置３Ａに充填された触媒は、例えば、ルテニウムを活性炭の表面に担持させて得られた活性炭触媒である。放射性金属元素吸着装置４が濃縮水移送管９によってスケール防止剤除去装置３Ａに接続される。酸化剤供給装置１４は、酸化剤、例えば、過酸化水素を充填した薬液タンク１４および注入配管１５を有する。薬液タンク１４に接続された注入配管１５は、逆浸透膜装置２とスケール防止剤除去装置３Ａの間の濃縮水移送管９に接続される。注入配管１５にはバルブが設けられる。
【００３２】
実施例１と同様に、ポンプ１９を駆動することによって、放射性廃棄物建屋１３内の放射性廃液貯槽に蓄えられた放射性廃液が、放射線分解に対して耐性があるスケール防止剤であるフロコンが添加されて廃液供給管５を通って逆浸透膜装置２に供給される。この放射性廃液に含まれる水が、逆浸透膜装置２において逆浸透膜を透過し、透過水として透過水排出管７に排出される。透過水排出管７に排出された透過水は、冷却水として、冷却水供給管８を通して原子炉格納容器１１内に供給され、原子炉１２の冷却に使用される。
【００３３】
逆浸透膜装置２から濃縮水移送管９に排出された濃縮水に、酸化剤である過酸化水素が酸化剤供給装置１４によって注入される。過酸化水素は、注入配管１５に設けられたバルブを開くことによって、薬液タンク１４から注入配管１５を通して濃縮水移送管９に注入される。過酸化水素、フロコンおよび放射性金属元素を含む濃縮水が、スケール防止剤除去装置３Ａに供給される。スケール防止剤除去装置３Ａにおいて、フロコンは、過酸化水素およびスケール防止剤除去装置３Ａ内の活性炭触媒の作用によって水と二酸化炭素に分解される。スケール防止剤除去装置３Ａでフロコンが分解された、すなわち、フロコンが除去された濃縮水は、濃縮水移送管９に排出され、放射性金属元素吸着装置４に供給される。濃縮水に含まれる放射性金属元素は放射性金属元素吸着装置４で吸着されて除去される。
【００３４】
本実施例は、実施例１で生じる各効果を得ることができる。
【００３５】
放射性廃液処理装置１Ａにおいて、スケール防止剤除去装置３Ａの替りに濃縮水に紫外線を照射する紫外線照射装置をスケール防止剤除去装置として用いてもよい。酸化剤供給装置１４から酸化剤、例えば、過酸水素を、濃縮水移送管９内を流れる濃縮水に注入し、酸化剤を含む濃縮水にスケール防止剤除去装置である紫外線照射装置から紫外線を照射することによって、濃縮水に含まれるスケール防止剤を分解する。これにより、濃縮水に含まれるスケール防止剤が除去される。
【実施例３】
【００３６】
本発明の他の実施例である実施例３の放射性廃液の処理方法を、図４を用いて説明する。本実施例の放射性廃液の処理方法は、沸騰水型原子力プラントに適用される。
【００３７】
本実施例の放射性廃液の処理方法に用いられる放射性廃液処理装置１Ｂは、実施例１で用いる放射性廃液処理装置１においてスケール防止剤除去装置３をスケール防止剤除去装置３Ｂに替えた構成を有する。放射性廃液処理装置１Ｂの他の構成は放射性廃液処理装置１と同じである。
【００３８】
スケール防止剤除去装置３Ｂは、沈降分離槽２２および薬剤注入装置１７を有する。沈降分離槽２２は、逆浸透膜装置２に接続された濃縮水移送管９に接続される。放射性金属元素吸着装置４は濃縮水移送管９Ａによって沈降分離槽２２に接続される。薬剤注入装置１７は、薬剤タンク２３、およびバルブ（図示せず）を有する注入配管１８を有する。注入配管１８は、薬剤タンク２３に接続され、さらに沈降分離槽２２に連絡される。薬剤タンク２３は、スケール防止剤を凝集沈殿させる効果のある薬剤、すなわち、凝集剤（例えば、ＰＡＣ（ポリ塩化アルミニウム）、アルカリ溶液（例えば、苛性ソーダおよび炭酸ソーダなど）および活性炭懸濁液のいずれか）を充填している。本実施例では、ＰＡＣが薬剤タンク２３内に充填されている。
【００３９】
実施例１と同様に、ポンプ１９を駆動することによって、放射性廃棄物建屋１３内の放射性廃液貯槽に蓄えられた放射性廃液が、スケール防止剤であるフロコンが添加されて廃液供給管５を通って逆浸透膜装置２に供給される。この放射性廃液に含まれる水が、逆浸透膜装置２において逆浸透膜を透過し、透過水として透過水排出管７に排出される。透過水排出管７に排出された透過水は、冷却水として、冷却水供給管８を通して原子炉格納容器１１内に供給され、原子炉１２の冷却に使用される。
【００４０】
逆浸透膜装置２から濃縮水移送管９に排出された濃縮水は、沈降分離槽２２に供給される。注入配管１８に設けられたバルブを開くことによって、薬剤タンク２３内のＰＡＣが注入配管１８を通って沈降分離槽２２に供給される。沈降分離槽２２内の濃縮水に含まれる放射線分解に対して耐性があるスケール防止剤であるフロコンは、沈降分離槽２２に供給されたＰＡＣの作用により、沈降分離槽２２内において凝集されて沈殿する。このようにして、濃縮水に含まれるフロコンは沈降分離槽２２内において濃縮水から沈降分離される。薬剤注入装置１７の薬剤タンク２３に充填する薬剤を適切に選択してこの薬剤を沈降分離槽２２に供給することによって、沈降分離槽２２内の濃縮水に含まれるスケール防止剤の凝集沈殿とともに、濃縮水に含まれる一部の放射性金属元素、および金属元素除去装置４における放射性金属元素の吸着除去の妨害要因となる共存元素を合わせて沈殿除去することも可能である。
【００４１】
フロコンが除去された濃縮水、すなわち、沈降分離槽２２内の上澄み水は、濃縮水移送管９Ａに排出され、放射性金属元素吸着装置４に供給される。この濃縮水に含まれる放射性金属元素は放射性金属元素吸着装置４で吸着されて除去される。
【００４２】
本実施例は、実施例１で生じる各効果を得ることができる。また、本実施例では、スケール防止剤を除去、分解するための吸着材および触媒が不要となる。
【００４３】
実施例１〜３のそれぞれは、加圧水型原子力プラントに適用することができる。
【符号の説明】
【００４４】
１，１Ａ，１Ｂ…放射性廃液処理装置、２…逆浸透膜装置、３，３Ａ，３Ｂ…スケール防止剤除去装置、４…放射性金属元素吸着装置、６…スケール防止剤供給管、１０…原子炉建屋、１１…原子炉格納容器、１３…放射性廃棄物建屋、１４…酸化剤供給装置、１７…薬剤注入装置、２２…沈降分離槽。
【図１】
0005829931.tif 000002
【図２】
0005829931.tif 000003
【図３】
0005829931.tif 000004
【図４】
0005829931.tif 000005